(57)【特許請求の範囲】
【請求項１】
着用状態において右大腿部の外側部分の少なくとも一部を覆うと共に上下方向に沿って延在する右側伸縮抑制部と、
着用状態において左大腿部の外側部分の少なくとも一部を覆うと共に上下方向に沿って延在する左側伸縮抑制部と、
着用状態において右臀部の下縁に沿って延在する右臀部緊締部と、
着用状態において左臀部の下縁に沿って延在する左臀部緊締部と、
着用状態において右臀部の少なくとも頂点を覆う右臀部被覆部と、
着用状態において左臀部の少なくとも頂点を覆う左臀部被覆部とを備え、
前記右側伸縮抑制部及び前記左側伸縮抑制部は、前記右臀部緊締部、前記左臀部緊締部、前記右臀部被覆部及び前記左臀部被覆部よりも伸縮し難く、
前記右臀部緊締部及び前記左臀部緊締部は、前記右臀部被覆部及び前記左臀部被覆部よりも緊締力が大きく、
前記右側伸縮抑制部、前記右臀部緊締部及び前記右臀部被覆部は、一体的に編成された一の経編地から構成され、
前記左側伸縮抑制部、前記左臀部緊締部及び前記左臀部被覆部は、一体的に編成された一の経編地から構成されていることを特徴とするボトム衣類。
【請求項２】
前記右側伸縮抑制部、前記右臀部緊締部及び前記右臀部被覆部は、同一の糸によって前記右臀部被覆部、前記右臀部緊締部及び前記右側伸縮抑制部の順で連続的に編成されており、
前記左側伸縮抑制部、前記左臀部緊締部及び前記左臀部被覆部は、同一の糸によって前記左臀部被覆部、前記左臀部緊締部及び前記左側伸縮抑制部の順で連続的に編成されていることを特徴とする、請求項１に記載されたボトム衣類。
【請求項３】
前記右臀部緊締部、前記左臀部緊締部、前記右臀部被覆部及び前記左臀部被覆部は、
経編編成により地組織を構成する地糸と、
経方向に沿って前記地組織に挿入され、前記地組織と共に編成されることにより、挿入組織を構成する第１〜第Ｎ（Ｎは２以上の自然数）の第１挿入糸による第１挿入糸群及び第１〜第Ｎの第２挿入糸による第２挿入糸群とを有し、
前記第１〜第Ｎの第１挿入糸と前記第１〜第Ｎの第２挿入糸とは、緯方向に並んで配置され、
前記第ｎ（ｎは１〜Ｎの自然数）の第１挿入糸と前記第ｎの第２挿入糸とは、経方向において互いに近接しながら前記地組織に編成される第１部分と、経方向において互いに離間しながら前記地組織に編成される第２部分と、前記第１部分と前記第２部分とを接続する屈曲部分とをそれぞれ有し、前記第１部分、前記第２部分及び前記屈曲部分によって全体として蛇行形状を呈しており、
前記第ｎの第１挿入糸の前記屈曲部分と前記第ｎの第２挿入糸の前記屈曲部分とは、厚さ方向から見て互いに重なり合っていることを特徴とする、請求項１又は２に記載されたボトム衣類。
【請求項４】
前記右臀部緊締部、前記左臀部緊締部、前記右臀部被覆部及び前記左臀部被覆部は、
経編編成により地組織を構成する地糸と、
経方向に沿って前記地組織と共に編成されることにより、ルーピング組織を構成する第１〜第Ｎ（Ｎは２以上の自然数）の第１編糸による第１編糸群及び第１〜第Ｎの第２編糸による第２編糸群とを有し、
前記第１〜第Ｎの第１編糸と前記第１〜第Ｎの第２編糸とは、緯方向に並んで配置され、
前記第ｎ（ｎは１〜Ｎの自然数）の第１編糸と前記第ｎの第２編糸とは、経方向において互いに近接しながら前記地組織に編成される第１部分と、経方向において互いに離間しながら前記地組織に編成される第２部分と、前記第１部分と前記第２部分とを接続する屈曲部分とをそれぞれ有し、前記第１部分、前記第２部分及び前記屈曲部分によって全体として蛇行形状を呈しており、
前記第ｎの第１編糸の前記屈曲部分と前記第ｎの第２編糸の前記屈曲部分とは、厚さ方向から見て互いに重なり合っていることを特徴とする、請求項１又は２に記載されたボトム衣類。
【請求項５】
少なくとも下半身の一部を被覆する股付きのボトム衣類であって、
着用状態において右大腿部の外側部分の少なくとも一部を覆うと共に上下方向に沿って延在する右側伸縮抑制部と、
着用状態において左大腿部の外側部分の少なくとも一部を覆うと共に上下方向に沿って延在する左側伸縮抑制部と、
着用状態において右臀部の下縁に沿って延在する右臀部緊締部と、
着用状態において左臀部の下縁に沿って延在する左臀部緊締部と、
着用状態において右臀部の少なくとも頂点を覆う右臀部被覆部と、
着用状態において左臀部の少なくとも頂点を覆う左臀部被覆部と、
着用状態において、前記右臀部緊締部の下方に配置されると共に、前記右側伸縮抑制部から始まり右大腿部の背側及び内側にかけて延在する右大腿部緊締部と、
着用状態において、前記左臀部緊締部の下方に配置されると共に、前記左側伸縮抑制部から始まり左大腿部の背側及び内側にかけて延在する左大腿部緊締部とを備え、
前記右側伸縮抑制部及び前記左側伸縮抑制部は、前記右臀部緊締部、前記左臀部緊締部、前記右臀部被覆部、前記左臀部被覆部、前記右大腿部緊締部及び前記左大腿部緊締部よりも伸縮し難く、
前記右臀部緊締部、前記左臀部緊締部、前記右大腿部緊締部及び前記左大腿部緊締部は、前記右臀部被覆部及び前記左臀部被覆部よりも緊締力が大きく、
前記右側伸縮抑制部、前記右臀部緊締部、前記右臀部被覆部及び前記右大腿部緊締部は、一体的に編成された一の経編地から構成され、
前記左側伸縮抑制部、前記左臀部緊締部、前記左臀部被覆部及び前記左大腿部緊締部は、一体的に編成された一の経編地から構成されていることを特徴とするボトム衣類。
【請求項６】
前記右側伸縮抑制部、前記右臀部緊締部、前記右臀部被覆部及び前記右大腿部緊締部は、同一の糸によって前記右臀部被覆部、前記右臀部緊締部、前記右大腿部緊締部及び前記右側伸縮抑制部の順で連続的に編成されており、
前記左側伸縮抑制部、前記左臀部緊締部、前記左臀部被覆部及び前記左大腿部緊締部は、同一の糸によって前記左臀部被覆部、前記左臀部緊締部、前記左大腿部緊締部及び前記左側伸縮抑制部の順で連続的に編成されていることを特徴とする、請求項５に記載されたボトム衣類。
【請求項７】
前記右臀部緊締部、前記左臀部緊締部、前記右臀部被覆部、前記左臀部被覆部、前記右大腿部緊締部及び前記左大腿部緊締部は、
経編編成により地組織を構成する地糸と、
経方向に沿って前記地組織に挿入され、前記地組織と共に編成されることにより、挿入組織を構成する第１〜第Ｎ（Ｎは２以上の自然数）の第１挿入糸による第１挿入糸群及び第１〜第Ｎの第２挿入糸による第２挿入糸群とを有し、
前記第１〜第Ｎの第１挿入糸と前記第１〜第Ｎの第２挿入糸とは、緯方向に並んで配置され、
前記第ｎ（ｎは１〜Ｎの自然数）の第１挿入糸と前記第ｎの第２挿入糸とは、経方向において互いに近接しながら前記地組織に編成される第１部分と、経方向において互いに離間しながら前記地組織に編成される第２部分と、前記第１部分と前記第２部分とを接続する屈曲部分とをそれぞれ有し、前記第１部分、前記第２部分及び前記屈曲部分によって全体として蛇行形状を呈しており、
前記第ｎの第１挿入糸の前記屈曲部分と前記第ｎの第２挿入糸の前記屈曲部分とは、厚さ方向から見て互いに重なり合っていることを特徴とする、請求項５又は６に記載されたボトム衣類。
【請求項８】
前記右臀部緊締部、前記左臀部緊締部、前記右臀部被覆部、前記左臀部被覆部、前記右大腿部緊締部及び前記左大腿部緊締部は、
経編編成により地組織を構成する地糸と、
経方向に沿って前記地組織と共に編成されることにより、ルーピング組織を構成する第１〜第Ｎ（Ｎは２以上の自然数）の第１編糸による第１編糸群及び第１〜第Ｎの第２編糸による第２編糸群とを有し、
前記第１〜第Ｎの第１編糸と前記第１〜第Ｎの第２編糸とは、緯方向に並んで配置され、
前記第ｎ（ｎは１〜Ｎの自然数）の第１編糸と前記第ｎの第２編糸とは、経方向において互いに近接しながら前記地組織に編成される第１部分と、経方向において互いに離間しながら前記地組織に編成される第２部分と、前記第１部分と前記第２部分とを接続する屈曲部分とをそれぞれ有し、前記第１部分、前記第２部分及び前記屈曲部分によって全体として蛇行形状を呈しており、
前記第ｎの第１編糸の前記屈曲部分と前記第ｎの第２編糸の前記屈曲部分とは、厚さ方向から見て互いに重なり合っていることを特徴とする、請求項５又は６に記載されたボトム衣類。
【発明の詳細な説明】
【技術分野】
【０００１】
本発明は、ボトム衣類、特に、体に密着して着用するボトム衣類に関する。
【背景技術】
【０００２】
従来、帯状の緊締部を有する衣類（ガードル）が知られている（例えば、下記特許文献１参照）。この緊締部は、その長手方向において、緊締力が相対的に強い部分と緊締力が相対的に弱い部分とが切り替わるように、経編機によって構成されている。緊締部のうち緊締力が相対的に強い部分は、着用者がガードルを着用したときに、着用者の大腿部の前方中央部に相当する箇所に位置している。緊締部のうち緊締力が相対的に弱い部分は、着用者がガードルを着用したときに、大腿部の前方中央部以外の部分であって大腿部を囲むように配置されている。そのため、緊締力が相対的に強い部分によって着用者の大腿四頭筋が強く緊締されると共に、緊締力が相対的に強い部分及び緊締力が相対的に弱い部分によって着用者の大腿部全体についても十分に緊締されるので、歩行に際して脚を大きく蹴ることができ、美しい体型を保つことができるようになっている。
【０００３】
また、従来、緊締力が相対的に強い部分と緊締力が相対的に弱い部分とを有する衣類（ガードル）が知られている（例えば、下記特許文献２参照）。このガードルは、緊締力が相対的に強い部分及び緊締力が相対的に弱い部分が帯状であり且つカーブした連続パターンである経編地によって構成されている。ガードルにおいては、帯状であり且つカーブしている緊締力が相対的に強い部分及び緊締力が相対的に弱い部分がヒップの膨らみの下から脇腹にかけて設けられている。そのため、緊締力が相対的に強い部分及び緊締力が相対的に弱い部分によってガードルにヒップアップ機能が付与されるので、ヒップ形状を整えることができるようになっている。
【０００４】
さらに、従来、ループが経方向に連綴される地編地と共に柄が編成されて構成された経編地が知られている（例えば、下記特許文献３参照）。この経編地は、ループに対して挿入された弾性糸の緯方向における振りが互いに異なる複数種類の地編領域を有しており、この複数種類の地編領域が経方向に繰り返して連続している。
【特許文献１】特開２００７−１１３１２５号公報
【特許文献２】特許第３０２３３５４号公報（特開２０００−８０２３号公報）
【特許文献３】登録実用新案第３１３６４５１号公報
【発明の開示】
【発明が解決しようとする課題】
【０００５】
上記特許文献１〜３に記載されているような従来の衣類（特に、ガードル等の下着類）では、経編地の編構造に工夫を施すことで、体型の補整機能（大腿部の緊締やヒップアップ）を実現している。しかしながら、従来の衣類においては、一の経編地を用いたときに一の体型補整機能を実現できるものの、二以上の体型補整機能を実現するためには当て布などを要するものであった。当て布を用いる場合には、当て布が縫製された部分が嵩張ってしまうので、通気性が低下する虞や、アウターウェアに下着のラインが浮き出て、着用者の外観を損なう虞が高まってしまう。
【０００６】
そこで、本発明は、着用感や外観を損なう虞を大きく低減しつつ、二以上の体型補整機能を実現することが可能なボトム衣類を提供することを目的とする。
【課題を解決するための手段】
【０００７】
本発明に係るボトム衣類は、着用状態において右大腿部の外側部分の少なくとも一部を覆うと共に上下方向に沿って延在する右側伸縮抑制部と、着用状態において左大腿部の外側部分の少なくとも一部を覆うと共に上下方向に沿って延在する左側伸縮抑制部と、着用状態において右臀部の下縁に沿って延在する右臀部緊締部と、着用状態において左臀部の下縁に沿って延在する左臀部緊締部と、着用状態において右臀部の少なくとも頂点を覆う右臀部被覆部と、着用状態において左臀部の少なくとも頂点を覆う左臀部被覆部とを備え、右側伸縮抑制部及び左側伸縮抑制部は、着用状態において上下方向に沿って延在すると共に、右臀部緊締部、左臀部緊締部、右臀部被覆部及び左臀部被覆部よりも伸縮し難く、右臀部緊締部及び左臀部緊締部は、右臀部被覆部及び左臀部被覆部よりも緊締力が大きく、右側伸縮抑制部、右臀部緊締部及び右臀部被覆部は、一体的に編成された一の経編地から構成され、左側伸縮抑制部、左臀部緊締部及び左臀部被覆部は、一体的に編成された一の経編地から構成されていることを特徴とする。
【０００８】
本発明に係るボトム衣類では、着用状態において、相対的に伸縮し難い右側伸縮抑制部によって右大腿部の外側部分が覆われると共に、相対的に伸縮し難い左側伸縮抑制部によって左大腿部の外側部分が覆われる。そのため、着用者の右大腿部の外側部分及び左大腿部の外側部分が右側伸縮抑制部及び左側伸縮抑制部によってそれぞれ引き締められることとなるので、右大腿部の外側部分及び左大腿部の外側部分の膨出が抑制され、美しくすっきりしたボディラインを作り出すことが可能となる。
【０００９】
また、本発明に係るボトム衣類では、着用状態において、相対的に緊締力が大きい右臀部緊締部によって右臀部の下縁が覆われると共に、相対的に緊締力が大きい左臀部緊締部によって左臀部の下縁が覆われる。そのため、右臀部及び左臀部が右臀部緊締部及び左臀部緊締部によってそれぞれしっかりと支えられることとなるので、ヒップアップ機能が発揮されることとなる。
【００１０】
また、本発明に係るボトム衣類では、右側伸縮抑制部、右臀部緊締部及び右臀部被覆部が一体的に編成された一の経編地から構成され、左側伸縮抑制部、左臀部緊締部及び左臀部被覆部が一体的に編成された一の経編地から構成されている。つまり、上記の２つの体型補整機能が、右半身及び左半身においてそれぞれ一の経編地で提供されることとなる。そのため、当て布等を用いていないので、二つの体型補整機能を実現しつつ着用感や外観を損なう虞を大きく低減することが可能となっている。
【００１１】
好ましくは、右側伸縮抑制部、右臀部緊締部及び右臀部被覆部は、同一の糸によって右臀部被覆部、右臀部緊締部及び右側伸縮抑制部の順で連続的に編成されており、左側伸縮抑制部、左臀部緊締部及び左臀部被覆部は、同一の糸によって左臀部被覆部、左臀部緊締部及び左側伸縮抑制部の順で連続的に編成されている。
【００１２】
好ましくは、右臀部緊締部、左臀部緊締部、右臀部被覆部及び左臀部被覆部は、経編編成により地組織を構成する地糸と、経方向に沿って地組織に挿入され、地組織と共に編成されることにより、挿入組織を構成する第１〜第Ｎ（Ｎは２以上の自然数）の第１挿入糸による第１挿入糸群及び第１〜第Ｎの第２挿入糸による第２挿入糸群とを有し、第１〜第Ｎの第１挿入糸と第１〜第Ｎの第２挿入糸とは、緯方向に並んで配置され、第ｎ（ｎは１〜Ｎの自然数）の第１挿入糸と第ｎの第２挿入糸とは、経方向において互いに近接しながら地組織に編成される第１部分と、経方向において互いに離間しながら地組織に編成される第２部分と、第１部分と第２部分とを接続する屈曲部分とをそれぞれ有し、第１部分、第２部分及び屈曲部分によって全体として蛇行形状を呈しており、第ｎの第１挿入糸の屈曲部分と第ｎの第２挿入糸の前記屈曲部分とは、厚さ方向から見て互いに重なり合っている。
【００１３】
この場合、第１〜第Ｎの第１挿入糸及び第１〜第Ｎの第２挿入糸が経方向に沿って地組織に挿入されており、第ｎの第１挿入糸と第ｎの第２挿入糸とが第１部分、第２部分及び屈曲部分によって全体として蛇行形状を呈している。そのため、経方向における経編地の強度が確保されることとなる。また、この場合、第ｎの第１挿入糸の屈曲部分と第ｎの第２挿入糸の屈曲部分とが厚さ方向から見て互いに重なり合うように、第１〜第Ｎの第１挿入糸及び第１〜第Ｎの第２挿入糸がそれぞれ地組織に編成されている。そのため、第ｎの第１挿入糸と第ｎの第２挿入糸とがそれぞれの屈曲部分において地組織を介して接続され、第ｎの第１挿入糸の第１部分と第ｎの第２挿入糸の第２部分とによりあたかも斜め方向（経方向及び緯方向に対して交差する方向）に連続して延びるラインが形成されると共に、第ｎの第１挿入糸の第２部分と第ｎの第２挿入糸の第１部分とによりあたかも斜め方向に連続して延びるラインが形成されることとなる。従って、斜め方向及び緯方向における強度が確保されることとなる。その結果、右臀部緊締部、左臀部緊締部、右臀部被覆部及び左臀部被覆部が、強度に関して等方性を発揮することが可能となる。そのため、一般に半球形状を呈する臀部に対しても均等に力が働くこととなるので、臀部が特定の方向から締め付けられることによって着用時に不快感等が生じてしまう虞も大きく低減できる。
【００１４】
好ましくは、右臀部緊締部、左臀部緊締部、右臀部被覆部及び左臀部被覆部は、経編編成により地組織を構成する地糸と、経方向に沿って地組織と共に編成されることにより、ルーピング組織を構成する第１〜第Ｎ（Ｎは２以上の自然数）の第１編糸による第１編糸群及び第１〜第Ｎの第２編糸による第２編糸群とを有し、第１〜第Ｎの第１編糸と第１〜第Ｎの第２編糸とは、緯方向に並んで配置され、第ｎ（ｎは１〜Ｎの自然数）の第１編糸と第ｎの第２編糸とは、経方向において互いに近接しながら地組織に編成される第１部分と、経方向において互いに離間しながら地組織に編成される第２部分と、第１部分と第２部分とを接続する屈曲部分とをそれぞれ有し、第１部分、第２部分及び屈曲部分によって全体として蛇行形状を呈しており、第ｎの第１編糸の屈曲部分と第ｎの第２編糸の屈曲部分とは、厚さ方向から見て互いに重なり合っている。
【００１５】
この場合、第１〜第Ｎの第１編糸及び第１〜第Ｎの第２編糸が経方向に沿って地組織と共に編成されており、第ｎの第１編糸と第ｎの第２編糸とが第１部分、第２部分及び屈曲部分によって全体として蛇行形状を呈している。そのため、経方向における経編地の強度が確保されることとなる。また、この場合、第ｎの第１編糸の屈曲部分と第ｎの第２編糸の屈曲部分とが厚さ方向から見て互いに重なり合うように、第１〜第Ｎの第１編糸及び第１〜第Ｎの第２編糸がそれぞれ地組織に編成されている。そのため、第ｎの第１編糸と第ｎの第２編糸とがそれぞれの屈曲部分において地組織を介して接続され、第ｎの第１編糸の第１部分と第ｎの第２編糸の第２部分とによりあたかも斜め方向（経方向及び緯方向に対して交差する方向）に連続して延びるラインが形成されると共に、第ｎの第１編糸の第２部分と第ｎの第２編糸の第１部分とによりあたかも斜め方向に連続して延びるラインが形成されることとなる。従って、斜め方向及び緯方向における強度が確保されることとなる。その結果、右臀部緊締部、左臀部緊締部、右臀部被覆部及び左臀部被覆部が、強度に関して等方性を発揮することが可能となる。そのため、一般に半球形状を呈する臀部に対しても均等に力が働くこととなるので、臀部が特定の方向から締め付けられることによって着用時に不快感等が生じてしまう虞も大きく低減できる。
【００１６】
また、本発明に係るボトム衣類は、少なくとも下半身の一部を被覆する股付きのボトム衣類であって、着用状態において右大腿部の外側部分の少なくとも一部を覆うと共に上下方向に沿って延在する右側伸縮抑制部と、着用状態において左大腿部の外側部分の少なくとも一部を覆うと共に上下方向に沿って延在する左側伸縮抑制部と、着用状態において右臀部の下縁に沿って延在する右臀部緊締部と、着用状態において左臀部の下縁に沿って延在する左臀部緊締部と、着用状態において右臀部の少なくとも頂点を覆う右臀部被覆部と、着用状態において左臀部の少なくとも頂点を覆う左臀部被覆部と、着用状態において、右臀部緊締部の下方に配置されると共に、右側伸縮抑制部から始まり右大腿部の背側及び内側にかけて延在する右大腿部緊締部と、着用状態において、左臀部緊締部の下方に配置されると共に、左側伸縮抑制部から始まり左大腿部の背側及び内側にかけて延在する左大腿部緊締部とを備え、右側伸縮抑制部及び左側伸縮抑制部は、着用状態において上下方向に沿って延在すると共に、右臀部緊締部、左臀部緊締部、右臀部被覆部、左臀部被覆部、右大腿部緊締部及び左大腿部緊締部よりも伸縮し難く、右臀部緊締部、左臀部緊締部、右大腿部緊締部及び左大腿部緊締部は、右臀部被覆部及び左臀部被覆部よりも緊締力が大きく、右側伸縮抑制部、右臀部緊締部、右臀部被覆部及び右大腿部緊締部は、一体的に編成された一の経編地から構成され、左側伸縮抑制部、左臀部緊締部、左臀部被覆部及び左大腿部緊締部は、一体的に編成された一の経編地から構成されていることを特徴とする。
【００１７】
本発明に係るボトム衣類では、着用状態において、相対的に伸縮し難い右側伸縮抑制部によって右大腿部の外側部分が覆われると共に、相対的に伸縮し難い左側伸縮抑制部によって左大腿部の外側部分が覆われる。そのため、着用者の右大腿部の外側部分及び左大腿部の外側部分が右側伸縮抑制部及び左側伸縮抑制部によってそれぞれ引き締められることとなるので、右大腿部の外側部分及び左大腿部の外側部分の膨出が抑制され、美しくすっきりしたボディラインを作り出すことが可能となる。
【００１８】
また、本発明に係るボトム衣類では、着用状態において、相対的に伸縮し難い右大腿部緊締部によって右大腿部の背側及び内側が覆われると共に、相対的に伸縮し難い左大腿部緊締部によって左大腿部の背側部分及び内側部分が覆われる。そのため、着用者の右大腿部の股下部分が右側伸縮抑制部と右大腿部緊締部とによって引き締められ、着用者の左大腿部の股下部分が左側伸縮抑制部と左大腿部緊締部とによって引き締められることとなるので、右大腿部の内側部分及び左大腿部の内側部分の膨出が抑制され、より美しくすっきりしたボディラインを作り出すことが可能となる。
【００１９】
また、本発明に係るボトム衣類では、着用状態において、相対的に緊締力が大きい右臀部緊締部によって右臀部の下縁が覆われると共に、相対的に緊締力が大きい左臀部緊締部によって左臀部の下縁が覆われる。そのため、右臀部及び左臀部が右臀部緊締部及び左臀部緊締部によってそれぞれしっかりと支えられることとなるので、ヒップアップ機能が発揮されることとなる。
【００２０】
また、本発明に係るボトム衣類では、右側伸縮抑制部、右臀部緊締部、右臀部被覆部及び右大腿部緊締部は、一体的に編成された一の経編地から構成され、左側伸縮抑制部、左臀部緊締部、左臀部被覆部及び左大腿部緊締部は、一体的に編成された一の経編地から構成されている。つまり、上記の３つの体型補整機能が、右半身及び左半身においてそれぞれ一の経編地で提供されることとなる。そのため、当て布等を用いていないので、二以上の体型補整機能を実現しつつ着用感や外観を損なう虞を大きく低減することが可能となっている。
【００２１】
好ましくは、右側伸縮抑制部、右臀部緊締部、右臀部被覆部及び右大腿部緊締部は、同一の糸によって右臀部被覆部、右臀部緊締部、右大腿部緊締部及び右側伸縮抑制部の順で連続的に編成されており、左側伸縮抑制部、左臀部緊締部、左臀部被覆部及び左大腿部緊締部は、同一の糸によって左臀部被覆部、左臀部緊締部、左大腿部緊締部及び左側伸縮抑制部の順で連続的に編成されている。
【００２２】
好ましくは、右臀部緊締部、左臀部緊締部、右臀部被覆部、左臀部被覆部、右大腿部緊締部及び左大腿部緊締部は、経編編成により地組織を構成する地糸と、経方向に沿って地組織に挿入され、地組織と共に編成されることにより、挿入組織を構成する第１〜第Ｎ（Ｎは２以上の自然数）の第１挿入糸による第１挿入糸群及び第１〜第Ｎの第２挿入糸による第２挿入糸群とを有し、第１〜第Ｎの第１挿入糸と第１〜第Ｎの第２挿入糸とは、緯方向に並んで配置され、第ｎ（ｎは１〜Ｎの自然数）の第１挿入糸と第ｎの第２挿入糸とは、経方向において互いに近接しながら地組織に編成される第１部分と、経方向において互いに離間しながら地組織に編成される第２部分と、第１部分と前記第２部分とを接続する屈曲部分とをそれぞれ有し、第１部分、第２部分及び屈曲部分によって全体として蛇行形状を呈しており、第ｎの第１挿入糸の屈曲部分と第ｎの第２挿入糸の屈曲部分とは、厚さ方向から見て互いに重なり合っている。
【００２３】
この場合、第１〜第Ｎの第１挿入糸及び第１〜第Ｎの第２挿入糸が経方向に沿って地組織に挿入されており、第ｎの第１挿入糸と第ｎの第２挿入糸とが第１部分、第２部分及び屈曲部分によって全体として蛇行形状を呈している。そのため、経方向における経編地の強度が確保されることとなる。また、この場合、第ｎの第１挿入糸の屈曲部分と第ｎの第２挿入糸の屈曲部分とが厚さ方向から見て互いに重なり合うように、第１〜第Ｎの第１挿入糸及び第１〜第Ｎの第２挿入糸がそれぞれ地組織に編成されている。そのため、第ｎの第１挿入糸と第ｎの第２挿入糸とがそれぞれの屈曲部分において地組織を介して接続され、第ｎの第１挿入糸の第１部分と第ｎの第２挿入糸の第２部分とによりあたかも斜め方向（経方向及び緯方向に対して交差する方向）に連続して延びるラインが形成されると共に、第ｎの第１挿入糸の第２部分と第ｎの第２挿入糸の第１部分とによりあたかも斜め方向に連続して延びるラインが形成されることとなる。従って、斜め方向及び緯方向における強度が確保されることとなる。その結果、右臀部緊締部、左臀部緊締部、右臀部被覆部、左臀部被覆部、右大腿部緊締部及び左大腿部緊締部が、強度に関して等方性を発揮することが可能となる。そのため、一般に半球形状を呈する臀部や円柱状を呈する大腿部に対しても均等に力が働くこととなるので、臀部や大腿部が特定の方向から締め付けられることによって着用時に不快感等が生じてしまう虞も大きく低減できる。
【００２４】
好ましくは、右臀部緊締部、左臀部緊締部、右臀部被覆部、左臀部被覆部、右大腿部緊締部及び左大腿部緊締部は、経編編成により地組織を構成する地糸と、経方向に沿って地組織と共に編成されることにより、ルーピング組織を構成する第１〜第Ｎ（Ｎは２以上の自然数）の第１編糸による第１編糸群及び第１〜第Ｎの第２編糸による第２編糸群とを有し、第１〜第Ｎの第１編糸と第１〜第Ｎの第２編糸とは、緯方向に並んで配置され、第ｎ（ｎは１〜Ｎの自然数）の第１編糸と第ｎの第２編糸とは、経方向において互いに近接しながら地組織に編成される第１部分と、経方向において互いに離間しながら地組織に編成される第２部分と、第１部分と第２部分とを接続する屈曲部分とをそれぞれ有し、第１部分、第２部分及び屈曲部分によって全体として蛇行形状を呈しており、第ｎの第１編糸の屈曲部分と第ｎの第２編糸の屈曲部分とは、厚さ方向から見て互いに重なり合っている。
【００２５】
この場合、第１〜第Ｎの第１編糸及び第１〜第Ｎの第２編糸が経方向に沿って地組織と共に編成されており、第ｎの第１編糸と第ｎの第２編糸とが第１部分、第２部分及び屈曲部分によって全体として蛇行形状を呈している。そのため、経方向における経編地の強度が確保されることとなる。また、この場合、第ｎの第１編糸の屈曲部分と第ｎの第２編糸の屈曲部分とが厚さ方向から見て互いに重なり合うように、第１〜第Ｎの第１編糸及び第１〜第Ｎの第２編糸がそれぞれ地組織に編成されている。そのため、第ｎの第１編糸と第ｎの第２編糸とがそれぞれの屈曲部分において地組織を介して接続され、第ｎの第１編糸の第１部分と第ｎの第２編糸の第２部分とによりあたかも斜め方向（経方向及び緯方向に対して交差する方向）に連続して延びるラインが形成されると共に、第ｎの第１編糸の第２部分と第ｎの第２編糸の第１部分とによりあたかも斜め方向に連続して延びるラインが形成されることとなる。従って、斜め方向及び緯方向における強度が確保されることとなる。その結果、右臀部緊締部、左臀部緊締部、右臀部被覆部、左臀部被覆部、右大腿部緊締部及び左大腿部緊締部が、強度に関して等方性を発揮することが可能となる。そのため、一般に半球形状を呈する臀部や円柱状を呈する大腿部に対しても均等に力が働くこととなるので、臀部や大腿部が特定の方向から締め付けられることによって着用時に不快感等が生じてしまう虞も大きく低減できる。
【００２６】
なお、本明細書でいう体に密着する衣類とは、体の表面に直接に接して密着する場合に限らず、他の下着類を介して体に密着する場合も含むものである。
【発明の効果】
【００２７】
本発明によれば、着用感や外観を損なう虞を大きく低減しつつ、二以上の体型補整機能を実現することが可能なボトム衣類を提供することができる。
【発明を実施するための最良の形態】
【００２８】
本発明に係るボトム衣類の好適な実施形態について、図面を参照して説明する。なお、以下では、ボトム衣類として女性用の股付きのガードル（ロングタイプガードル）１を例にとって説明している。
【００２９】
ガードル１は、図１及び図２に示されるように、左右の身頃１０と、腹部布１２とを備えており、矢状面に対して略対称となっている。身頃１０は、大腿部腹側被覆部１４と、伸縮抑制部１６と、臀部緊締部１８と、臀部緊締部２０と、臀部被覆部２２と、大腿部緊締部２４と、大腿部背側被覆部２６と、下端部２８とを有している。
【００３０】
大腿部腹側被覆部１４は、着用状態において大腿部の腹側を覆っている。伸縮抑制部１６は、帯状を呈しており、着用状態において大腿部の外側を覆うと共に上下方向に延在している。臀部緊締部１８は、帯状を呈しており、着用状態において臀部の上縁に沿って延在している。臀部緊締部２０は、帯状を呈しており、着用状態において臀部の下縁に沿って延在している。臀部被覆部２２は、着用状態において、頂部を含む臀部の略全体を覆うと共に伸縮抑制部１６及び臀部緊締部１８，２０によって囲まれている領域に配置されている。
【００３１】
大腿部緊締部２４は、着用状態において、臀部緊締部２０の下方に配置されると共に、伸縮抑制部１６から始まり大腿部の背側及び内側にかけて延在している。大腿部背側被覆部２６は、着用状態において、大腿部緊締部２４の下方で且つ伸縮抑制部１６及び大腿部緊締部２４の間に配置されると共に、大腿部の背側を部分的に覆っている。下端部２８は、ガードル１の下端に配置されている。
【００３２】
ここで、大腿部緊締部２４は、大腿部腹側被覆部１４、臀部緊締部１８，２０、臀部被覆部２２、大腿部背側被覆部２６及び下端部２８と比較して緊締力が大きくなっている。臀部緊締部１８，２０及び下端部２８は、大腿部腹側被覆部１４、臀部被覆部２２及び大腿部背側被覆部２６と比較して緊締力が大きくなっている。そのため、大腿部緊締部２４は相対的に緊締力が最も大きく、臀部緊締部１８，２０及び下端部２８は相対的に緊締力が次に大きく、大腿部腹側被覆部１４、臀部被覆部２２及び大腿部背側被覆部２６は相対的に緊締力がもっとも小さい。また、伸縮抑制部１６は、他の部分と比較して、特に矢印Ｓ方向（後述する経編地３０の編み方向）において伸縮し難くなっている。
【００３３】
続いて、ガードル１の身頃１０を作成するための経編地３０について、図３を参照して説明する。経編地３０は、矢印Ｓで示す方向に糸が供給されて構成されている。すなわち、図３に示されるように、左右の各身頃１０（大腿部腹側被覆部１４、伸縮抑制部１６、臀部緊締部１８、臀部緊締部２０、臀部被覆部２２、大腿部緊締部２４、大腿部背側被覆部２６及び下端部２８）は、一体的に編成された経編地３０によってそれぞれ構成されている。ガードル１を作成するには、図３に示される経編地３０から右の身頃１０を裁断し、図示しない経編地から左の身頃１０を裁断して、これらを腹部布１２やクロッチ（図示せず）と共に縫製する。なお、本実施形態に係る経編地３０は、例えばＫａｒｌ  Ｍａｙｅｒ社製ジャカードラッシェル機ＲＳＪ５／１ＥＬを用いて製造することができる。また、矢印Ｓで示す方向とは反対の方向に糸を供給することで経編地３０を構成することもできる。
【００３４】
ここで、図３に示されるように、例えば第Ｗ１番目のウェールでは、大腿部腹側被覆部１４、伸縮抑制部１６、大腿部緊締部２４及び大腿部背側被覆部２６が、同一の糸によって大腿部緊締部２４、大腿部背側被覆部２６、伸縮抑制部１６及び大腿部腹側被覆部１４の順で連続的に編成されている。また、例えばＷ２番目のウェールでは、大腿部腹側被覆部１４、伸縮抑制部１６、臀部緊締部２０、臀部被覆部２２、大腿部緊締部２４が、同一の糸によって臀部被覆部２２、臀部緊締部２０、大腿部緊締部２４、伸縮抑制部１６及び大腿部腹側被覆部１４の順で連続的に編成されている。
【００３５】
続いて、経編地３０のうち大腿部腹側被覆部１４、臀部被覆部２２及び大腿部背側被覆部２６をそれぞれ構成する第１部分３２について、図４〜図７を参照して説明する。経編地３０の第１部分３２は、地組織３４と、挿入糸群３６，３８とを有する。
【００３６】
地組織３４は、第１部分３２の基礎となるものであり、第１部分３２の全面にわたって存在している。地組織３４は、図５に示されるように、本実施形態において３種類の糸Ｙ１〜Ｙ３（地糸）によって構成されている。糸Ｙ１，Ｙ２としては、例えば、３３デシテックス、２６フィラメントのナイロン糸（東レ株式会社製Ｎｙ３３Ｔ／２６−２Ｍ９４）を用いることができる。糸Ｙ３としては、例えば、３１０デシテックスのポリウレタン糸（旭化成せんい株式会社製Ｒｏｉｃａ（登録商標）３１０Ｔ−Ｃ８０４）を用いることができる。
【００３７】
ここで、図５〜図１１の組織図では、黒点が各コースのニードルヘッドの位置を表しており、黒点同士の緯方向の間隙はニードル間部を表している。また、図５〜図１１の組織図では、緯方向に並んだ黒点の列が１つのコースを表しており、糸が矢印Ｓ方向に供給されるときに、各コースにおいてどのような編み方をされるかを、１本の糸によって示している。さらに、図５〜図１１の組織図では、糸の編成をニードル間部の位置によって表す目的で、各糸がガイドバーに案内されて通過する最も右側のニードル間部を０とし、そこから順に左側に１，２，３・・・の番号を付与している（編機の種類によっては、０、２、４、６・・・と番号を付与するものもある）。
【００３８】
糸Ｙ１は、ジャカード筬Ｊ１のガイドバーに通糸される糸Ｙ１ａと、ジャカード筬Ｊ２のガイドバーに通糸される糸Ｙ１ｂとを有している。糸Ｙ１ａ，Ｙ１ｂは、矢印Ｓ方向に給糸されることで、経編編成される。ここで、ジャカード筬Ｊ１，Ｊ２は、筬の運動とは別に、圧電素子（ピエゾ素子）等によって、各ガイドバーに対してニードル１つ分だけ緯方向に変位が与えられるようになっている。このジャカード筬Ｊ１，Ｊ２により、糸Ｙ１ａ，Ｙ１ｂは、互いに異なる組織として編成される。この糸Ｙ１ａ，Ｙ１ｂは、図５に示されるように、１ウェール間隔で隣り合っている。なお、図５、図８〜図１０において示される破線は、ジャカード筬Ｊ１，Ｊ２の圧電素子（ピエゾ素子）等によって緯方向に変位が与えられない場合の糸Ｙ１の組織図を示すものである。
【００３９】
具体的には、糸Ｙ１ａは、コースＣ１において番号１のニードル間部から番号２のニードル間部に移動し、コースＣ２において番号２のニードル間部から番号１のニードル間部に移動し、コースＣ３において番号１のニードル間部から番号２のニードル間部に移動し、コースＣ４において番号１のニードル間部から番号０のニードル間部に移動し、コースＣ５において番号０のニードル間部から番号１のニードル間部に移動し、コースＣ６において番号２のニードル間部から番号１のニードル間部に移動し、コースＣ７において番号０のニードル間部から番号１のニードル間部に移動し、コースＣ８において番号２のニードル間部から番号１のニードル間部に移動し、コースＣ９において番号０のニードル間部から番号１のニードル間部に移動し、コースＣ１０において番号１のニードル間部から番号０のニードル間部に移動し、その後は以上を繰り返している。つまり、糸Ｙ１ａは、１０コースを１つの繰り返し単位としている。この糸Ｙ１ａの編成は、「１２／２１／１２／１０／０１／２１／０１／２１／０１／１０／／」と表すことができる。これにより、糸Ｙ１ａは、開き目（ループが交差しないで開いている状態）と閉じ目（ループが交差して閉じた形の編目が形成されている状態）とを交えたルーピング組織を構成する。
【００４０】
また、糸Ｙ１ｂは、コースＣ１において番号０のニードル間部から番号１のニードル間部に移動し、コースＣ２において番号２のニードル間部から番号１のニードル間部に移動し、コースＣ３において番号０のニードル間部から番号１のニードル間部に移動し、コースＣ４において番号１のニードル間部から番号０のニードル間部に移動し、コースＣ５において番号１のニードル間部から番号２のニードル間部に移動し、コースＣ６において番号２のニードル間部から番号１のニードル間部に移動し、コースＣ７において番号１のニードル間部から番号２のニードル間部に移動し、コースＣ８において番号１のニードル間部から番号０のニードル間部に移動し、コースＣ９において番号０のニードル間部から番号１のニードル間部に移動し、コースＣ１０において番号２のニードル間部から番号１のニードル間部に移動し、その後は以上を繰り返している。つまり、糸Ｙ１ｂは、１０コースを１つの繰り返し単位としている。この糸Ｙ１ｂの編成は、「０１／２１／０１／１０／１２／２１／１２／１０／０１／２１／／」と表すことができる。これにより、糸Ｙ１ｂは、開き目と閉じ目とを交えたルーピング組織を構成する。なお、実際の地組織１２では、糸Ｙ１ａと糸Ｙ１ｂとが緯方向に１ウェール間隔で交互に並ぶと共に、緯方向に隣り合う糸Ｙ１ａ，Ｙ１ｂ同士が絡み合っている。
【００４１】
糸Ｙ２は、筬ＧＢ３のガイドバーに通糸されて矢印Ｓ方向に給糸されることで、経編編成される。具体的には、糸Ｙ２は、コースＣ１において番号１のニードル間部から番号２のニードル間部に移動し、コースＣ２において番号２のニードル間部から番号１のニードル間部に移動し、コースＣ３において番号１のニードル間部から番号２のニードル間部に移動し、コースＣ４において番号１のニードル間部から番号０のニードル間部に移動し、コースＣ５において番号０のニードル間部から番号１のニードル間部に移動し、コースＣ６において番号１のニードル間部から番号０のニードル間部に移動し、その後は以上を繰り返している。つまり、糸Ｙ２は、６コースを１つの繰り返し単位としている。この糸Ｙ２の編成は、「１２／２１／１２／１０／０１／１０／／」と表すことができる。これにより、糸Ｙ２は、開き目と閉じ目とを交えたルーピング組織を構成する。なお、実際の地組織３４では、複数の糸Ｙ２が緯方向に１ウェール間隔で並ぶと共に、緯方向に隣り合う糸Ｙ２同士が絡み合っている。
【００４２】
糸Ｙ３は、筬ＧＢ４のガイドバーに通糸されて矢印Ｓ方向に給糸されることで、糸Ｙ１，Ｙ２によって経編編成された編組織に、経方向に沿って挿入される。具体的には、糸Ｙ３は、コースＣ１において番号２のニードル間部の位置でスイングインすると共に同じ位置でスイングアウトし、コースＣ２において番号１のニードル間部の位置でスイングインすると共に同じ位置でスイングアウトし、コースＣ３において番号２のニードル間部の位置でスイングインすると共に同じ位置でスイングアウトし、コースＣ４において番号０のニードル間部の位置でスイングインすると共に同じ位置でスイングアウトし、コースＣ５において番号１のニードル間部の位置でスイングインすると共に同じ位置でスイングアウトし、コースＣ６において番号０のニードル間部の位置でスイングインすると共に同じ位置でスイングアウトし、その後は以上を繰り返している。つまり、糸Ｙ３は、６コースを１つの繰り返し単位としている。この糸Ｙ３の編成は、「２２／１１／２２／００／１１／００／／」と表すことができる。これにより、糸Ｙ３は、ニードルループの間やシンカーループの間等に横たわったような状態、すなわち、糸Ｙ１，Ｙ２と絡み合い糸Ｙ１，Ｙ２に編成された状態となり、挿入組織を構成する。なお、実際の地組織１２では、複数の糸Ｙ３が緯方向に１ウェール間隔で並んでいる。
【００４３】
挿入糸群１４（第１挿入糸群）は、図６に示されるように、同種の４本の糸Ｙ４ａ〜Ｙ４ｄ（第１〜第４の第１挿入糸）によって構成されている。糸Ｙ４ａ〜Ｙ４ｄとしては、例えば、７８デシテックスのポリウレタン糸（旭化成せんい株式会社製Ｒｏｉｃａ（登録商標）７８Ｔ−Ｃ８０５）を用いることができる。
【００４４】
糸Ｙ４ａ〜Ｙ４ｄは、それぞれ、筬ＧＢ５のガイドバーに通糸されて矢印Ｓ方向に給糸されることで、緯方向に１ウェール間隔で並んだ状態で、糸Ｙ１，Ｙ２によって経編編成された編組織に、経方向に沿って挿入される。具体的には、糸Ｙ４ａは、コースＣ１において番号５のニードル間部の位置でスイングイン及びスイングアウトし、コースＣ２において番号４のニードル間部の位置でスイングイン及びスイングアウトし、コースＣ３において番号５のニードル間部の位置でスイングイン及びスイングアウトし、コースＣ４において番号３のニードル間部の位置でスイングイン及びスイングアウトし、コースＣ５において番号４のニードル間部の位置でスイングイン及びスイングアウトし、コースＣ６において番号２のニードル間部の位置でスイングイン及びスイングアウトし、コースＣ７において番号３のニードル間部の位置でスイングイン及びスイングアウトし、コースＣ８において番号４のニードル間部の位置でスイングイン及びスイングアウトし、コースＣ９において番号３のニードル間部の位置でスイングイン及びスイングアウトし、コースＣ１０において番号１のニードル間部の位置でスイングイン及びスイングアウトし、コースＣ１１において番号２のニードル間部の位置でスイングイン及びスイングアウトし、コースＣ１２において番号０のニードル間部の位置でスイングイン及びスイングアウトし、コースＣ１３において番号１のニードル間部の位置でスイングイン及びスイングアウトし、コースＣ１４において番号０のニードル間部の位置でスイングイン及びスイングアウトし、コースＣ１５において番号２のニードル間部の位置でスイングイン及びスイングアウトし、コースＣ１６において番号１のニードル間部の位置でスイングイン及びスイングアウトし、コースＣ１７において番号２のニードル間部の位置でスイングイン及びスイングアウトし、コースＣ１８において番号１のニードル間部の位置でスイングイン及びスイングアウトし、コースＣ１９において番号３のニードル間部の位置でスイングイン及びスイングアウトし、コースＣ２０において番号２のニードル間部の位置でスイングイン及びスイングアウトし、コースＣ２１において番号３のニードル間部の位置でスイングイン及びスイングアウトし、コースＣ２２において番号２のニードル間部の位置でスイングイン及びスイングアウトし、コースＣ２３において番号４のニードル間部の位置でスイングイン及びスイングアウトし、コースＣ２４において番号３のニードル間部の位置でスイングイン及びスイングアウトし、その後は以上を繰り返している。つまり、糸Ｙ４ａは、２４コースを１つの繰り返し単位としている。
【００４５】
この糸Ｙ４ａの編成は、「５５／４４／５５／３３／４４／２２／３３／４４／３３／１１／２２／００／１１／００／２２／１１／２２／１１／３３／２２／３３／２２／４４／３３／／」と表すことができる。これにより、糸Ｙ４ａは、ニードルループの間やシンカーループの間等に横たわったような状態、すなわち、糸Ｙ１，Ｙ２と絡み合い糸Ｙ１，Ｙ２に編成された状態となり、挿入組織を構成する。
【００４６】
また、糸４ａは、図６に示されるように、全体として蛇行形状を呈する。具体的には、糸４ａは、コースＣ１からコースＣ３へと進むにつれて、全体として経方向に進み、コースＣ３からコースＣ１２へと進むにつれて、全体として図面右方向に進み、コースＣ１２からコースＣ１４へと進むにつれて、全体として経方向に進み、コースＣ１４からコースＣ２４へと進むにつれて、全体として図面左方向に進んでいる。そのため、糸４ａのうちコースＣ３〜Ｃ１２における部分３６ａ（第１部分）は全体として経方向に対して交差する方向に延びており、糸４ａのうちコースＣ１４〜Ｃ２４における部分３６ｂ（第２部分）は全体として経方向に対して交差する方向に延びており、糸４ａのうちコースＣ１２〜Ｃ１４における部分３６ｃ（屈曲部分）は全体として経方向に沿う方向に延びると共に部分３６ａ，３６ｂを接続する屈曲部分となっている。なお、糸Ｙ４ｂ〜Ｙ４ｄについても同様である。
【００４７】
挿入糸群１６（第２挿入糸群）は、図６に示されるように、同種の４本の糸Ｙ５ａ〜Ｙ５ｄ（第１〜第４の第２挿入糸）によって構成されている。糸Ｙ５ａ〜Ｙ５ｄとしては、例えば、７８デシテックスのポリウレタン糸（旭化成せんい株式会社製Ｒｏｉｃａ（登録商標）７８Ｔ−Ｃ８０５）を用いることができる。
【００４８】
糸Ｙ５ａ〜Ｙ５ｄは、それぞれ、筬ＧＢ６のガイドバーに通糸されて矢印Ｓ方向に給糸されることで、緯方向に１ウェール間隔で並んだ状態で、糸Ｙ１，Ｙ２によって経編編成された編組織に、経方向に沿って挿入される。具体的には、糸Ｙ５ａは、コースＣ１において番号１のニードル間部の位置でスイングイン及びスイングアウトし、コースＣ２において番号０のニードル間部の位置でスイングイン及びスイングアウトし、コースＣ３において番号２のニードル間部の位置でスイングイン及びスイングアウトし、コースＣ４において番号１のニードル間部の位置でスイングイン及びスイングアウトし、コースＣ５において番号２のニードル間部の位置でスイングイン及びスイングアウトし、コースＣ６において番号１のニードル間部の位置でスイングイン及びスイングアウトし、コースＣ７において番号３のニードル間部の位置でスイングイン及びスイングアウトし、コースＣ８において番号２のニードル間部の位置でスイングイン及びスイングアウトし、コースＣ９において番号３のニードル間部の位置でスイングイン及びスイングアウトし、コースＣ１０において番号２のニードル間部の位置でスイングイン及びスイングアウトし、コースＣ１１において番号４のニードル間部の位置でスイングイン及びスイングアウトし、コースＣ１２において番号３のニードル間部の位置でスイングイン及びスイングアウトし、コースＣ１３において番号５のニードル間部の位置でスイングイン及びスイングアウトし、コースＣ１４において番号４のニードル間部の位置でスイングイン及びスイングアウトし、コースＣ１５において番号５のニードル間部の位置でスイングイン及びスイングアウトし、コースＣ１６において番号３のニードル間部の位置でスイングイン及びスイングアウトし、コースＣ１７において番号４のニードル間部の位置でスイングイン及びスイングアウトし、コースＣ１８において番号２のニードル間部の位置でスイングイン及びスイングアウトし、コースＣ１９において番号３のニードル間部の位置でスイングイン及びスイングアウトし、コースＣ２０において番号２のニードル間部の位置でスイングイン及びスイングアウトし、コースＣ２１において番号３のニードル間部の位置でスイングイン及びスイングアウトし、コースＣ２２において番号１のニードル間部の位置でスイングイン及びスイングアウトし、コースＣ２３において番号２のニードル間部の位置でスイングイン及びスイングアウトし、コースＣ２４において番号０のニードル間部の位置でスイングイン及びスイングアウトし、その後は以上を繰り返している。つまり、糸Ｙ４ａは、２４コースを１つの繰り返し単位としている。
【００４９】
この糸Ｙ４ａの編成は、「１１／００／２２／１１／２２／１１／３３／２２／３３／２２／４４／３３／５５／４４／５５／３３／４４／２２／３３／２２／３３／１１／２２／００／／」と表すことができる。これにより、糸Ｙ５ａは、ニードルループの間やシンカーループの間等に横たわったような状態、すなわち、糸Ｙ１，Ｙ２と絡み合い糸Ｙ１，Ｙ２に編成された状態となり、挿入組織を構成する。
【００５０】
また、糸５ａは、図６に示されるように、全体として蛇行形状を呈する。具体的には、糸５ａは、コースＣ１からコースＣ２へと進むにつれて、全体として経方向に進み、コースＣ２からコースＣ１３へと進むにつれて、全体として図面左方向に進み、コースＣ１３からコースＣ１５へと進むにつれて、全体として経方向に進み、コースＣ１５からコースＣ２４へと進むにつれて、全体として図面右方向に進んでいる。そのため、糸５ａのうちコースＣ２〜Ｃ１３における部分３８ａ（第１部分）は全体として経方向に対して交差する方向に延びており、糸５ａのうちコースＣ１５〜Ｃ２４における部分３８ｂ（第２部分）は全体として経方向に対して交差する方向に延びており、糸５ａのうちコースＣ１３〜Ｃ１５における部分３８ｃ（屈曲部分）は全体として経方向に沿う方向に延びると共に部分３８ａ，３８ｂを接続する屈曲部分となっている。なお、糸Ｙ５ｂ〜Ｙ５ｄについても同様である。
【００５１】
ここで、糸Ｙ４ａ〜Ｙ４ｄ及び糸Ｙ５ａ〜Ｙ５ｄが地組織３４に挿入された状態について、図７を参照しつつ説明する。まず、糸Ｙ４ａ及び糸Ｙ５ａに着目すると、糸Ｙ４ａの部分３６ａと糸Ｙ５ａの部分３８ａとは、経方向（矢印Ｓ方向）に進むにつれて、互いに近接しながら地組織１２に編成されている。糸Ｙ４ａの部分３６ｂと糸Ｙ５ａの部分３８ｂとは、経方向（矢印Ｓ方向）に進むにつれて、互いに離間しながら地組織３４に編成されている。糸Ｙ４ａの部分３６ｃと糸Ｙ５ａの部分３８ｃとは、厚さ方向から見て互いに重なり合っている。そのため、糸Ｙ４ａの部分３６ｃと糸Ｙ５ａの部分３８ｃとの重なりの観点からは、糸Ｙ４ａと糸Ｙ５ａとが対応関係にあるといえる。なお、ここでいう「厚さ方向から見て互いに重なり合っている」とは、完全に重なり合って一致している場合のみならず、糸Ｙ４ａの部分３６ｃが通過するニードル間部と糸Ｙ５ａの部分３８ｃが通過するニードル間部とが一致している場合も広く含むものとする。
【００５２】
続いて、糸Ｙ４ｂ及び糸Ｙ５ｂに着目すると、糸Ｙ４ｂの部分３６ａと糸Ｙ５ｂの部分３８ａとは、経方向（矢印Ｓ方向）に進むにつれて、互いに近接しながら地組織３４に編成されている。糸Ｙ４ｂの部分３６ｂと糸Ｙ５ｂの部分３８ｂとは、経方向（矢印Ｓ方向）に進むにつれて、互いに離間しながら地組織３４に編成されている。糸Ｙ４ｂの部分３６ｃと糸Ｙ５ｂの部分３８ｃとは、厚さ方向から見て互いに重なり合っている。そのため、糸Ｙ４ｂの部分３６と糸Ｙ５ｂの部分３８ｃとの重なりの観点からは、糸Ｙ４ｂと糸Ｙ５ｂとが対応関係にあるといえる。なお、ここでいう「厚さ方向から見て互いに重なり合っている」とは、完全に重なり合って一致している場合のみならず、糸Ｙ４ｂの部分３６ｃが通過するニードル間部と糸Ｙ５ｂの部分３８ｃが通過するニードル間部とが一致している場合も広く含むものとする。
【００５３】
続いて、糸Ｙ４ｃ及び糸Ｙ５ｃに着目すると、糸Ｙ４ｃの部分３６ａと糸Ｙ５ｃの部分３８ａとは、経方向（矢印Ｓ方向）に進むにつれて、互いに近接しながら地組織３４に編成されている。糸Ｙ４ｃの部分３６ｂと糸Ｙ５ｃの部分３８ｂとは、経方向（矢印Ｓ方向）に進むにつれて、互いに離間しながら地組織３４に編成されている。糸Ｙ４ｃの部分３６ｃと糸Ｙ５ｃの部分３８ｃとは、厚さ方向から見て互いに重なり合っている。そのため、糸Ｙ４ｃの部分３６ｃと糸Ｙ５ｃの部分３８ｃとの重なりの観点からは、糸Ｙ４ｃと糸Ｙ５ｃとが対応関係にあるといえる。なお、ここでいう「厚さ方向から見て互いに重なり合っている」とは、完全に重なり合って一致している場合のみならず、糸Ｙ４ｃの部分３６ｃが通過するニードル間部と糸Ｙ５ｃの部分３８ｃが通過するニードル間部とが一致している場合も広く含むものとする。
【００５４】
続いて、糸Ｙ４ｄ及び糸Ｙ５ｄに着目すると、糸Ｙ４ｄの部分３６ａと糸Ｙ５ｄの部分３８ａとは、経方向（矢印Ｓ方向）に進むにつれて、互いに近接しながら地組織３４に編成されている。糸Ｙ４ｄの部分３６ｂと糸Ｙ５ｄの部分３８ｂとは、経方向（矢印Ｓ方向）に進むにつれて、互いに離間しながら地組織３４に編成されている。糸Ｙ４ｄの部分３６ｃと糸Ｙ５ｄの部分３８ｃとは、厚さ方向から見て互いに重なり合っている。そのため、糸Ｙ４ｄの部分３６ｃと糸Ｙ５ｄの部分３８ｃとの重なりの観点からは、糸Ｙ４ｄと糸Ｙ５ｄとが対応関係にあるといえる。なお、ここでいう「厚さ方向から見て互いに重なり合っている」とは、完全に重なり合って一致している場合のみならず、糸Ｙ４ｄの部分３６ｃが通過するニードル間部と糸Ｙ５ｄの部分３８ｃが通過するニードル間部とが一致している場合も広く含むものとする。
【００５５】
以上より、経編地３０の第１部分３２は、図４に示されるように、地組織３４からなる領域Ａと、地組織３４及び挿入糸群３６からなる領域Ｂ１と、地組織３４及び挿入糸群３８からなる領域Ｂ２と、地組織３４及び挿入糸群３６，３８からなる領域Ｃを有することとなる。
【００５６】
続いて、経編地３０のうち臀部緊締部１８，２０及び下端部２８をそれぞれ構成する第２部分（図示せず）について説明する。経編地３０の第２部分は、地組織（図示せず）と、第１部分３２と同様の挿入糸群３６，３８とを有する。ここで、第２部分の地組織は、糸Ｙ１の編成の点で第１部分３２の地組織３４と異なるだけであるので、特に糸Ｙ１について、図８を参照して説明する。
【００５７】
糸Ｙ１は、ジャカード筬Ｊ１又はジャカード筬Ｊ２のガイドバーに通糸されて矢印Ｓ方向に給糸されることで、経編編成される。具体的には、糸Ｙ１は、コースＣ１において番号１のニードル間部から番号２のニードル間部に移動し、コースＣ２において番号１のニードル間部から番号０のニードル間部に移動し、コースＣ３において番号１のニードル間部から番号２のニードル間部に移動し、コースＣ４において番号２のニードル間部から番号１のニードル間部に移動し、コースＣ５において番号０のニードル間部から番号１のニードル間部に移動し、コースＣ６において番号２のニードル間部から番号１のニードル間部に移動し、その後は以上を繰り返している。つまり、糸Ｙ１は、６コースを１つの繰り返し単位としている。この糸Ｙ１ａの編成は、「１２／１０／１２／２１／０１／２１／／」と表すことができる。これにより、糸Ｙ１は、開き目と閉じ目とを交えたルーピング組織を構成する。なお、実際の地組織では、複数の糸Ｙ１が緯方向に１ウェール間隔で並ぶと共に、緯方向に隣り合う糸Ｙ１同士が絡み合っている。
【００５８】
続いて、経編地３０のうち大腿部緊締部２４を構成する第３部分（図示せず）について説明する。経編地３０の第３部分は、地組織（図示せず）と、第１部分３２と同様の挿入糸群３６，３８とを有する。ここで、第３部分の地組織は、糸Ｙ１の編成の点で第１部分３２の地組織３４と異なるだけであるで、特に糸Ｙ１について、図９を参照して説明する。
【００５９】
糸Ｙ１は、ジャカード筬Ｊ１又はジャカード筬Ｊ２のガイドバーに通糸されて矢印Ｓ方向に給糸されることで、経編編成される。具体的には、糸Ｙ１は、コースＣ１において番号０のニードル間部から番号１のニードル間部に移動し、コースＣ２において番号２のニードル間部から番号１のニードル間部に移動し、その後は以上を繰り返している。つまり、糸Ｙ１は、２コースを１つの繰り返し単位としている。この糸Ｙ１ａの編成は、「０１／２１／／」と表すことができる。これにより、糸Ｙ１は、全てのコースにおいて開き目からなるルーピング組織を構成する。なお、実際の地組織では、複数の糸Ｙ１が緯方向に１ウェール間隔で並ぶと共に、緯方向に隣り合う糸Ｙ１同士が絡み合っている。
【００６０】
続いて、経編地３０のうち伸縮抑制部１６を構成する第４部分（図示せず）について説明する。経編地３０の第４部分は、図１０に示されるように、本実施形態において５種類の糸Ｙ１〜Ｙ５によって構成されている。
【００６１】
糸Ｙ１は、ジャカード筬Ｊ１又はジャカード筬Ｊ２のガイドバーに通糸されて矢印Ｓ方向に給糸されることで、経編編成される。具体的には、糸Ｙ１は、コースＣ１において番号０のニードル間部から番号１のニードル間部に移動し、コースＣ２において番号２のニードル間部から番号１のニードル間部に移動し、その後は以上を繰り返している。つまり、糸Ｙ１は、２コースを１つの繰り返し単位としている。この糸Ｙ１ａの編成は、「０１／３２／／」と表すことができる。これにより、糸Ｙ１は、全てのコースにおいて開き目からなるルーピング組織を構成する。なお、実際の第４部分の組織では、複数の糸Ｙ１が緯方向に１ウェール間隔で並ぶと共に、緯方向に隣り合う糸Ｙ１同士が絡み合っている。
【００６２】
糸Ｙ２は、筬ＧＢ３のガイドバーに通糸されて矢印Ｓ方向に給糸されることで、経編編成される。具体的には、糸Ｙ２は、コースＣ１において番号１のニードル間部から番号２のニードル間部に移動し、コースＣ２において番号２のニードル間部から番号１のニードル間部に移動し、コースＣ３において番号１のニードル間部から番号２のニードル間部に移動し、コースＣ４において番号１のニードル間部から番号０のニードル間部に移動し、コースＣ５において番号０のニードル間部から番号１のニードル間部に移動し、コースＣ６において番号１のニードル間部から番号０のニードル間部に移動し、その後は以上を繰り返している。つまり、糸Ｙ２は、６コースを１つの繰り返し単位としている。この糸Ｙ２の編成は、「１２／２１／１２／１０／０１／１０／／」と表すことができる。これにより、糸Ｙ２は、開き目と閉じ目とを交えたルーピング組織を構成する。なお、実際の第４部分の組織では、複数の糸Ｙ２が緯方向に１ウェール間隔で並ぶと共に、緯方向に隣り合う糸Ｙ２同士が絡み合っている。
【００６３】
糸Ｙ３〜Ｙ５は、それぞれ、筬ＧＢ４〜ＧＢ６の各ガイドバーに通糸されて矢印Ｓ方向に給糸されることで、糸Ｙ１，Ｙ２によって経編編成された編組織に、経方向に沿って挿入される。具体的には、糸Ｙ３〜Ｙ５は、いずれも、コースＣ１において番号２のニードル間部の位置でスイングインすると共に同じ位置でスイングアウトし、コースＣ２において番号１のニードル間部の位置でスイングインすると共に同じ位置でスイングアウトし、コースＣ３において番号２のニードル間部の位置でスイングインすると共に同じ位置でスイングアウトし、コースＣ４において番号０のニードル間部の位置でスイングインすると共に同じ位置でスイングアウトし、コースＣ５において番号１のニードル間部の位置でスイングインすると共に同じ位置でスイングアウトし、コースＣ６において番号０のニードル間部の位置でスイングインすると共に同じ位置でスイングアウトし、その後は以上を繰り返している。つまり、糸Ｙ３は、６コースを１つの繰り返し単位としている。この糸Ｙ３〜Ｙ５の編成は、「２２／１１／２２／００／１１／００／／」と表すことができる。これにより、糸Ｙ３〜Ｙ５は、ニードルループの間やシンカーループの間等に横たわったような状態、すなわち、糸Ｙ１，Ｙ２と絡み合い糸Ｙ１，Ｙ２に編成された状態となり、挿入組織を構成する。なお、実際の第４部分の組織では、複数の各糸Ｙ３〜Ｙ５が緯方向に１ウェール間隔で並んでいる。
【００６４】
以上のような本実施形態においては、着用状態において、相対的に伸縮し難い伸縮抑制部１６によって大腿部の外側部分が覆われる。そのため、着用者の大腿部の外側部分が伸縮抑制部１６によって引き締められることとなるので、大腿部の外側部分の膨出が抑制され、美しくすっきりしたボディラインを作り出すことが可能となる。
【００６５】
また、本実施形態においては、着用状態において、相対的に伸縮し難い大腿部緊締部２４によって大腿部の背側及び内側が部分的に覆われる。そのため、着用者の大腿部の股下部分が伸縮抑制部１６と大腿部緊締部２４とによって引き締められることとなるので、大腿部の内側部分の膨出が抑制され、より美しくすっきりしたボディラインを作り出すことが可能となる。
【００６６】
また、本実施形態においては、着用状態において、相対的に緊締力が大きい臀部緊締部１８によって臀部の下縁が覆われる。そのため、臀部が臀部緊締部１８によってしっかりと支えられることとなるので、ヒップアップ機能が発揮されることとなる。
【００６７】
また、本実施形態においては、伸縮抑制部１６、臀部緊締部１８、臀部被覆部２２及び大腿部緊締部２４は、一体的に編成された一の経編地から構成されている。つまり、上記の３つの体型補整機能が、右半身及び左半身においてそれぞれ一の経編地で提供されることとなる。そのため、当て布等を用いていないので、二以上の体型補整機能を実現しつつ着用感や外観を損なう虞を大きく低減することが可能となっている。
【００６８】
また、本実施形態においては、糸Ｙ４ａ〜Ｙ４ｄ，Ｙ５ａ〜Ｙ５ｄが経方向に沿って地組織３４に挿入されており、糸Ｙ４ａ〜Ｙ４ｄが各部分３６ａ〜３６ｃによって全体として蛇行形状を呈していると共に、糸Ｙ５ａ〜Ｙ５ｄが各部分３８ａ〜３８ｃによって全体として蛇行形状を呈している。そのため、縦方向における経編地の強度が確保されることとなる。また、本実施形態においては、糸Ｙ４ａの部分３６ｃと糸Ｙ５ａの部分３８ｃとが厚さ方向から見て互いに重なり合い、糸Ｙ４ｂの部分３６ｃと糸Ｙ５ｂの部分３８ｃとが厚さ方向から見て互いに重なり合い、糸Ｙ４ｃの部分３６ｃと糸Ｙ５ｃの部分３８ｃとが厚さ方向から見て互いに重なり合い、糸Ｙ４ｄの部分３６ｃと糸Ｙ５ｄの部分３８ｃとが厚さ方向から見て互いに重なり合うように、糸Ｙ４ａ〜Ｙ４ｄ，Ｙ５ａ〜Ｙ５ｄがそれぞれ地組織３４に挿入されて編成されている。そのため、糸Ｙ４ａの部分３６ｃと糸Ｙ５ａの部分３８ｃにおいて地組織３４を介して接続され、糸Ｙ４ａの部分３６ａと糸Ｙ５ａの部分３８ｂとによりあたかも斜め方向（経方向及び緯方向に対して交差する方向）に連続して延びるラインが形成されると共に、糸Ｙ４ａの部分３６ｂと糸Ｙ５ａの部分３８ａとによりあたかも斜め方向に連続して延びるラインが形成されることとなる。糸Ｙ４ｂ〜Ｙ４ｄ，Ｙ５ｂ〜Ｙ５ｄについても同様である。従って、斜め方向及び緯方向における強度が確保されることとなる。その結果、強度に関して等方性を発揮することが可能となる。
【００６９】
以上、本発明の好適な実施形態について詳細に説明したが、本発明は上記した実施形態に限定されるものではない。例えば、ボトム衣類としてロングタイプのガードル１を例にとって説明したが、図１１及び図１２に示されるように、ボトム衣類としてショートタイプ（ショート丈）のガードル２に本発明を適用してもよい。具体的には、ガードル２は、左右の身頃１０と、腹部布１２とを備えており、矢状面に対して略対称となっている。身頃１０は、伸縮抑制部１６と、臀部緊締部１８と、臀部緊締部２０と、臀部被覆部２２と、下端部２８とを有している。
【００７０】
伸縮抑制部１６は、帯状を呈しており、着用状態において大腿部の外側を覆うと共に上下方向に延在している。臀部緊締部１８は、帯状を呈しており、着用状態において臀部の上縁に沿って延在している。臀部緊締部２０は、帯状を呈しており、着用状態において臀部の下縁に沿って延在している。臀部被覆部２２は、着用状態において、頂部を含む臀部の略全体を覆うと共に伸縮抑制部１６及び臀部緊締部１８，２０によって囲まれている領域に配置されている。下端部２８は、ガードル２の下端に配置されている。
【００７１】
ここで、ガードル２において、臀部緊締部２０は、臀部緊締部１８、臀部被覆部２２及び下端部２８と比較して緊締力が大きくなっている。臀部緊締部１８及び下端部２８は、臀部被覆部２２と比較して緊締力が大きくなっている。そのため、臀部緊締部２０は相対的に緊締力が最も大きく、臀部緊締部１８及び下端部２８は相対的に緊締力が次に大きく、臀部被覆部２２は相対的に緊締力がもっとも小さい。また、伸縮抑制部１６は、他の部分と比較して、特に矢印Ｓ方向（後述する経編地３０の編み方向）において伸縮し難くなっている。
【００７２】
また、本実施形態においては、ボトム衣類として女性用のガードル１，２を例にとって説明したが、男性用のボトム衣類に本発明を適用してもよい。
【００７３】
また、本実施形態においては、糸Ｙ１，Ｙ２として非弾性糸であるナイロン糸を使用していたが、他の非弾性糸としてポリエステル糸を用いてもよい。また、糸Ｙ３〜Ｙ５として弾性糸であるポリウレタン糸（スパンデックス糸）を使用していたが、他の弾性糸としてＳＣＹ(シングルカバーリングヤーン)やＤＣＹ（ダブルカバーリングヤーン）その他の伸縮性を有する糸を用いてもよく、また、弾性糸の外側に他の合成繊維を巻付けたカバリング弾性糸を用いることもできる。
【００７４】
また、糸Ｙ１，Ｙ２の太さとしては、２２デシテックス〜７８デシテックスであると好ましく、２８デシテックス〜４４デシテックスであるとより好ましい。糸Ｙ３の太さとしては、４４デシテックス〜６２０デシテックスであると好ましく、７８デシテックス〜４７０デシテックスであるとより好ましい。糸Ｙ４，Ｙ５の太さとしては、２２デシテックス〜６２０デシテックスであると好ましく、４４デシテックス〜３９０デシテックスであるとより好ましい。
【００７５】
また、本実施形態においては、糸Ｙ１，Ｙ２によって地組織３４のルーピング組織を構成し、糸Ｙ３によって地組織３４の挿入組織を構成していたが、糸Ｙ１，Ｙ２，Ｙ３の全てをルーピング組織として地組織３４を構成するようにしてもよい。他の地組織についても同様である。
【００７６】
また、本実施形態においては、挿入糸群１４を４本の糸Ｙ４ａ〜Ｙ４ｄによって構成し、挿入糸群１６を４本の糸Ｙ５ａ〜Ｙ５ｄによって構成していたが、挿入糸群１４，１６を構成する糸の数は２本以上であればよい。
【００７７】
また、本実施形態においては、糸Ｙ４ａ〜Ｙ４ｄ，Ｙ５ａ〜Ｙ５ｄは２４コースを１つの繰り返し単位としていたが、糸Ｙ４ａ〜Ｙ４ｄ，Ｙ５ａ〜Ｙ５ｄが全体として蛇行形状を呈し、厚さ方向から見て互いに重なり合う部分と互いに重なり合わない部分とを有していれば、繰り返し単位としては２４コースに限定されない。ただし、繰り返し単位のコース数が少なくなると、糸Ｙ４ａ〜Ｙ４ｄ，Ｙ５ａ〜Ｙ５ｄ全体としての緯方向における振り幅が小さくなる共に地組織１２からなる領域Ａの面積が小さくなるので、強度が増加する傾向にある。一方、繰り返し単位のコース数が多くなると、糸Ｙ４ａ〜Ｙ４ｄ，Ｙ５ａ〜Ｙ５ｄ全体としての緯方向における振り幅が大きくなると共に地組織１２からなる領域Ａの面積が大きくなるので、強度が減少する傾向にある。
【００７８】
また、本実施形態においては、全体として蛇行形状を呈する糸Ｙ４ａ〜Ｙ４ｄ，Ｙ５ａ〜Ｙ５ｄによって挿入組織を構成していたが、全体として蛇行形状を呈する糸Ｙ４ａ〜Ｙ４ｄ，Ｙ５ａ〜Ｙ５ｄによってルーピング組織を構成するようにしてもよい。具体的には、例えば図１３に示されるように、糸Ｙ４ａ〜Ｙ４ｄを「４５／５４／４５／４３／３４／３２／２３／３２／２３／２１／１２／１０／０１／１０／１２／２１／１２／２１／２３／３２／２３／３２／３４／４３／／」で表される編成とし、糸Ｙ５ａ〜Ｙ５ｄを「０１／１０／１２／２１／１２／２１／２３／３２／２３／３２／３４／４３／４５／５４／４５／４３／３４／３２／２３／３２／２３／２１／１２／１０／／」で表される編成とすることができる。図１４に、これらの糸Ｙ４ａ〜Ｙ４ｄ，Ｙ５ａ〜Ｙ５ｄが地組織１２と共に編成された状態を部分的に示す。なお、この場合、糸Ｙ４ａ〜Ｙ４ｄ，Ｙ５ａ〜Ｙ５ｄのうち緯方向に隣り合う糸同士は絡み合っている。
【００７９】
また、図６及び図７では経編地３０の編み方向（矢印Ｓ方向）において全ての糸Ｙ４ａ〜Ｙ４ｄ，Ｙ５ａ〜Ｙ５ｄが挿入組織を構成しており、図１３及び図１４では経編地３０の編み方向（矢印Ｓ方向）において全ての糸Ｙ４ａ〜Ｙ４ｄ，Ｙ５ａ〜Ｙ５ｄがルーピング組織を構成していたが、経編地３０の編み方向（矢印Ｓ方向）においてルーピング組織と挿入組織とを切り替えるようにしてもよい。具体的には、例えば、糸Ｙ４ａ〜Ｙ４ｄ，Ｙ５ａ〜Ｙ５ｄについて、コースＣ１〜Ｃ８を挿入組織、コースＣ９〜Ｃ１６をルーピング組織、コースＣ１７〜Ｃ２４を挿入組織とすることも可能である。
【００８０】
また、経編地３０に模様を適宜入れてもよく、模様を入れなくてもよい。
【実施例】
【００８１】
以下、実施例１〜２及び比較例１並びに図１５〜図２３に基づいて本発明をより具体的に説明するが、本発明は以下の実施例に限定されるものではない。
【００８２】
（実施例１）
図４に示されるような、経編地３０のうち地組織３４及び挿入糸群３６，３８によって構成される第１部分３２を用意した。この実施例１の第１部分３２においては、糸Ｙ１ａ，Ｙ１ｂ，Ｙ２として東レ株式会社製Ｎｙ３３Ｔ／２６−２Ｍ９４を用い、糸Ｙ３として日清紡績株式会社製Ｍｏ−７８Ｔ−Ｒを用い、糸Ｙ４，Ｙ５として旭化成せんい株式会社製Ｒｏｉｃａ（登録商標）１５５Ｔ−ＨＳを用いた。また、ジャカード筬Ｊ１のガイドバーに通糸される糸Ｙ１ａ及びジャカード筬Ｊ２のガイドバーに通糸される糸Ｙ１ｂの編成を共に「０１／１０／／」とし、筬ＧＢ３のガイドバーに通糸される糸Ｙ２の編成を「１２／２１／１２／１０／０１／１０／／」とし、筬ＧＢ４のガイドバーに通糸される糸Ｙ３の編成を「２２／１１／２２／００／１１／００／／」とした。また、１８本の糸Ｙ４により挿入糸群１４とし、各糸Ｙ４が全体として蛇行形状となると共に各糸Ｙ４の１つの繰り返し単位が１２０コースとなるように、各糸Ｙ４を筬ＧＢ５のガイドバーに通糸して編成した。また、１８本の糸Ｙ５により挿入糸群１６とし、各糸Ｙ５が全体として蛇行形状となると共に各糸Ｙ５の１つの繰り返し単位が１２０コースとなるように、各糸Ｙ５を筬ＧＢ６のガイドバーに通糸して編成した。そして、実施例１の第１部分３２を裁断して、幅（緯方向）２．５ｃｍ、長さ（経方向）２０ｃｍの試験片とした。
【００８３】
続いて、この試験片を、ＪＩＳ  Ｌ  １０１８  ８．１５．１伸長弾性率Ａ法（定伸長法）  カットストリップ法を準用して、以下の条件で、経方向、緯方向及び斜め方向（試験片の表面編終わり方向を上にして４５°右上がり方向）の各方向において、伸度が８０％となるまで引き伸ばし、直ちに同じ速度で元の位置まで戻す操作を３回繰り返した。そして、試験片の引き伸ばし時に伸度が３０％となったときにおける試験片の引張り力（伸長力）及び試験片の収縮時に伸度が３０％となったときにおける試験片の引張り力（緊締力）を、上記操作の１回目及び３回目においてそれぞれ計測した。なお、伸度が３０％となったときの伸長力及び緊締力を計測したのは、経編地３０を用いて衣類（下着類）とした場合、着用時に伸度が３０％を超えることが稀であることによる。
試験機                          ：  定速伸長形引張試験機
試験片幅                        ：  ２．５ｃｍ
つかみ間距離                    ：  １０ｃｍ
試験速度                        ：  ３０ｃｍ／ｍｉｎ
初荷重                          ：  ０ｃＮ
繰り返し回数                    ：  ３回
伸長後の放置時間                ：  ０秒
元の位置まで戻した後の放置時間  ：  ０秒
【００８４】
（実施例２）
実施例１の第１部分３２と比較して、４本の糸Ｙ４により挿入糸群１４とし、各糸Ｙ４が全体として蛇行形状となると共に各糸Ｙ４の１つの繰り返し単位が２４コースとなるように、各糸Ｙ４を筬ＧＢ５のガイドバーに通糸して編成し、また、４本の糸Ｙ５により挿入糸群１６とし、各糸Ｙ５が全体として蛇行形状となると共に各糸Ｙ５の１つの繰り返し単位が２４コースとなるように、各糸Ｙ５を筬ＧＢ６のガイドバーに通糸して編成した以外は、実施例１と同様の第１部分３２を用意した。そして、実施例２の第１部分３２を用いて、実施例１と同じ試験を行った。
【００８５】
（比較例）
比較例の経編地においては、糸Ｙ１ａ，Ｙ１ｂ，Ｙ２として東レ株式会社製Ｎｙ３３Ｔ／２６−２Ｍ９４を用い、糸Ｙ３として旭化成せんい株式会社製Ｒｏｉｃａ（登録商標）３１０Ｔ−ＳＣＲを用い、糸Ｙ４として旭化成せんい株式会社製Ｒｏｉｃａ（登録商標）４４Ｔ−ＳＣＲを用い、糸Ｙ５を用いなかった。また、ジャカード筬Ｊ１のガイドバーに通糸される糸Ｙ１ａ及びジャカード筬Ｊ２のガイドバーに通糸される糸Ｙ１ｂの編成を共に「２１／１２／２１／０１／１０／０１／／」とし、筬ＧＢ３のガイドバーに通糸される糸Ｙ２の編成を「２１／２３／２１／１２／１０／１２／／」とし、筬ＧＢ４のガイドバーに通糸される糸Ｙ３の編成を「１１／３３／１１／２２／００／２２／／」とし、筬ＧＢ５のガイドバーに通糸される糸Ｙ４の編成を「１１／２２／００／１１／００／２２／／」とした。そして、比較例の第１部分を用いて、実施例１と同じ試験を行った。
【００８６】
（試験結果）
試験結果を図１５及び図１６に示す。図１５は、１回目の伸長力及び緊締力の値を示す表であり、図１６は、３回目の伸長力及び緊締力の値を示す表である。そして、この試験結果に基づいて、１回目及び３回目の伸長力及び緊締力の、実施例１，２及び比較例における標準偏差をそれぞれ計算した（図１７参照）。
【００８７】
図１７によれば、１回目及び３回目の伸長力及び緊締力のいずれにおいても、比較例の標準偏差が実施例１，２の標準偏差よりも大きくなっている。ここで得られる標準偏差は、経方向、斜め方向及び緯方向における伸長力の大きさ又は緊締力の大きさのばらつきを表すものであることを考慮すると、実施例１，２における第１部分３２は、経方向、斜め方向及び緯方向における伸長力の大きさ又は緊締力の大きさのばらつきが小さく強度に関して異方性が小さい（等方的である）といえることが確認された。一方、比較例における第１部分は、経方向、斜め方向及び緯方向における伸長力の大きさ又は緊締力の大きさのばらつきが大きく、強度に関して異方性が大きいものといえることが確認された。なお、図１８〜図２１からも、実施例１，２における第１部分３２のばらつきの大きさよりも比較例における第１部分のばらつきの大きさが大きいことが伺える。
【００８８】
また、試験結果に基づいて、実施例１，２及び比較例における、１回目と３回目との伸長力の減少率及び緊締力の減少率を下記式（１）にて経方向、斜め方向及び緯方向についてそれぞれ計算した（図２２及び図２３参照）。なお、減少率が小さいほど第１部分が繰り返しの伸縮に強く、減少率が大きいほど第１部分が繰り返しの伸縮に弱いことを示す。
減少率［％］＝（１回目の試験結果−３回目の試験結果）／１回目の試験結果×１００・・・（１）
【００８９】
図２２及び図２３によれば、実施例１，２では、経方向、斜め方向及び緯方向のいずれにおいても減少率がほぼ一定であるのに対し、比較例では、方向によって減少率が大きく違っている。そのため、実施例１，２における第１部分３２では、繰り返し伸縮した場合にいずれの方向にも同程度に伸びることとなり、繰り返し伸縮した後であっても強度に関して等方性を保つことができることが確認された。一方、比較例の第１部分では、繰り返し伸縮した場合に特定の方向に伸びやすくなってしまい、繰り返し伸縮した後には強度に関して異方性がより大きくなってしまうことが確認された。
【図面の簡単な説明】
【００９０】
【図１】図１は、本実施形態に係るボトム衣類を腹側から見た状態を示す斜視図である。
【図２】図２は、本実施形態に係るボトム衣類を背側から見た状態を示す斜視図である。
【図３】図３は、本実施形態に係るボトム衣類を作成するための経編地を示す概念図である。
【図４】図４は、経編地のうち大腿部腹側被覆部、臀部被覆部及び大腿部背側被覆部をそれぞれ構成する第１部分の一部を示す平面図である
【図５】図５は、経編地のうち大腿部腹側被覆部、臀部被覆部及び大腿部背側被覆部をそれぞれ構成する第１部分の地組織の組織図である。
【図６】図６は、糸Ｙ４ａ〜Ｙ４ｄ及び糸Ｙ５ａ〜Ｙ５ｄの組織図である。
【図７】図７は、糸Ｙ４ａ〜Ｙ４ｄ及び糸Ｙ５ａ〜Ｙ５ｄが、経編地のうち大腿部腹側被覆部、臀部被覆部及び大腿部背側被覆部をそれぞれ構成する第１部分の地組織に挿入された状態を部分的に示す図である。
【図８】図８は、経編地のうち臀部緊締部及び下端部をそれぞれ構成する第２部分の地組織の組織図である。
【図９】図９は、経編地のうち大腿部緊締部を構成する第３部分の地組織の組織図である。
【図１０】図１０は、経編地のうち伸縮抑制部を構成する第４部分の地組織の組織図である。
【図１１】図１１は、本実施形態に係るボトム衣類の他の例を腹側から見た状態を示す斜視図である。
【図１２】図１２は、本実施形態に係るボトム衣類の他の例を背側から見た状態を示す斜視図である。
【図１３】図１３は、１回目の伸長力及び緊締力の値を示す表である。
【図１４】図１４は、３回目の伸長力及び緊締力の値を示す表である。
【図１５】図１５は、本実施形態に係る他の例のボトム衣類における糸Ｙ４ａ〜Ｙ４ｄ及び糸Ｙ５ａ〜Ｙ５ｄの組織図である。
【図１６】図１６は、本実施形態に係る他の例のボトム衣類における糸Ｙ４ａ〜Ｙ４ｄ及び糸Ｙ５ａ〜Ｙ５ｄが地組織と共に編成された状態を部分的に示す図である。
【図１７】図１７は、１回目及び３回目の伸長力及び緊締力の、実施例１，２及び比較例における標準偏差を示す表である。
【図１８】図１８は、横軸に経方向、斜め方向及び緯方向をとり、縦軸に１回目の伸長力をとったときの、実施例１，２及び比較例のそれぞれの試験結果を示す図である。
【図１９】図１９は、横軸に経方向、斜め方向及び緯方向をとり、縦軸に１回目の緊締力をとったときの、実施例１，２及び比較例のそれぞれの試験結果を示す図である。
【図２０】図２０は、横軸に経方向、斜め方向及び緯方向をとり、縦軸に３回目の伸長力をとったときの、実施例１，２及び比較例のそれぞれの試験結果を示す図である。
【図２１】図２１は、横軸に経方向、斜め方向及び緯方向をとり、縦軸に３回目の緊締力をとったときの、実施例１，２及び比較例のそれぞれの試験結果を示す図である。
【図２２】図２２は、横軸に経方向、斜め方向及び緯方向をとり、縦軸に減少率をとったときの、実施例１，２及び比較例のそれぞれの伸長力の減少率を示す図である。
【図２３】図２３は、横軸に経方向、斜め方向及び緯方向をとり、縦軸に減少率をとったときの、実施例１，２及び比較例のそれぞれの緊締力の減少率を示す図である。
【符号の説明】
【００９１】
１…ガードル、１０…身頃、１４…大腿部腹側被覆部、１６…伸縮抑制部、１８…臀部緊締部、２０…臀部緊締部、２２…臀部被覆部、２４…大腿部緊締部、２６…大腿部背側被覆部、２８…下端部、３０…経編地、３４…地組織、３６…挿入糸群（第１挿入糸群）、３６ａ…部分（第１部分）、３６ｂ…部分（第２部分）、３６ｃ…部分（屈曲部分）、３８…挿入糸群（第２挿入糸群）、３８ａ…部分（第１部分）、３８ｂ…部分（第２部分）、３８ｃ…部分（屈曲部分）、Ｙ１〜Ｙ３…糸（地糸）、Ｙ４ａ〜Ｙ４ｄ…糸（第１〜第４の第１挿入糸）、Ｙ５ａ〜Ｙ５ｄ…糸（第１〜第４の第２挿入糸）、Ａ，Ｂ１，Ｂ２，Ｃ…領域。
【図３】
0004590465.tif 000002
【図５】
0004590465.tif 000003
【図６】
0004590465.tif 000004
【図７】
0004590465.tif 000005
【図８】
0004590465.tif 000006
【図９】
0004590465.tif 000007
【図１０】
0004590465.tif 000008
【図１３】
0004590465.tif 000009
【図１４】
0004590465.tif 000010
【図１５】
0004590465.tif 000011
【図１６】
0004590465.tif 000012
【図１７】
0004590465.tif 000013
【図１８】
0004590465.tif 000014
【図１９】
0004590465.tif 000015
【図２０】
0004590465.tif 000016
【図２１】
0004590465.tif 000017
【図２２】
0004590465.tif 000018
【図２３】
0004590465.tif 000019
【図１】
0004590465.tif 000020
【図２】
0004590465.tif 000021
【図４】
0004590465.tif 000022
【図１１】
0004590465.tif 000023
【図１２】
0004590465.tif 000024